(57)【要約】【課題】地面のグリップ力が十分に高く、また、歩行時等に足裏への突き上げ感がない上、歩き易い靴を得ることができる靴底を提供する。【解決手段】アウトソールの爪先部２１および踏付け部２２の底面１２の内外方向中央領域に、上記底面のベース面から下方に突出し、上記底面を内側領域と外側領域とに区分する突出部３０を、上記底面の前後方向に沿って形成する。【選択図】図１
2013128657.tif 000002
【特許請求の範囲】
【請求項１】
アウトソールを有する靴底であって、前記アウトソールの爪先部および踏付け部の底面の内外方向中央領域に、前記底面のベース面から下方に突出し、前記底面を内側領域と外側領域とに区分する突出部が、前記底面の前後方向に沿って形成されていることを特徴とする靴底。
【請求項２】
前記突出部は、内外方向断面が下方に突出した山形状に形成されている請求項１に記載の靴底。
【請求項３】
前記山形状の突出部の外側斜面の付け根部は、前記底面のベース面より上方に位置している請求項２に記載の靴底。
【請求項４】
前記突出部は、前記底面の長手方向に沿って延在する複数の長部と、隣り合う２つの前記長部を結ぶ前記長部より短い短部とにより、ジグザグ線状に形成されている請求項１〜３のいずれか１項に記載の靴底。
【請求項５】
前記突出部の先端部は、前記突出部の長手方向に沿って波状に形成されている請求項１〜４のいずれか１項に記載の靴底。
【請求項６】
請求項１〜５のいずれか１項に記載の靴底を装着したことを特徴とする靴。
【発明の詳細な説明】
【技術分野】
【０００１】
本発明は、ゴルフシューズ等のスポーツシューズに好適に使用される靴底およびそれを用いた靴に関する。
【背景技術】
【０００２】
従来、ゴルフスイング時における下半身のブレをなくし、安定したショットを放つことのできるゴルフシューズとして、靴底の底面の内側にスパイクを前後方向に沿って配列し、外側に滑り止め付き楕円形パッドを前後方向に沿って配列した構成のものが提案されている（特許文献１）。このゴルフシューズは、ゴルフスイング時における地面に対するグリップ力を高め、膝が流れていわゆるスウェーが生じることを防ぐものであると考えられる。
【先行技術文献】
【特許文献】
【０００３】
【特許文献１】登録実用新案第３０７１２２７号公報
【発明の概要】
【発明が解決しようとする課題】
【０００４】
しかしながら、特許文献１のゴルフシューズは、地面のグリップ力が十分ではなく、また、歩行時等にスパイクおよびパッドによる足裏への突き上げ感がある上、底面内側のスパイクが地面に刺さる一方、底面外側のパッドは地面に刺さらないため、歩きにくいものであった。
【０００５】
本発明は、上述した事情に鑑みてなされたものであり、地面のグリップ力が十分に高く、また、歩行時等に足裏への突き上げ感がない上、歩き易い靴を得ることができる靴底およびそれを用いた靴を提供することを目的とする。
【課題を解決するための手段】
【０００６】
本発明は、前記目的を達成するため、アウトソールを有する靴底であって、前記アウトソールの爪先部および踏付け部の底面の内外方向中央領域に、前記底面のベース面から下方に突出した突出部が、前記底面の前後方向に沿って形成されていることを特徴とする靴底およびそれを用いた靴を提供する。
【０００７】
本発明において、上記突出部の底面のベース面からの高さは、０〜７ｍｍとすることが適当である。本発明において、ベース面とは、その面から突出部などが突出している基準面をいう。
【０００８】
本発明では、前記突出部は、内外方向断面が下方に突出した山形状に形成されている構成とすることができる。これにより、歩行時に突出部の先端部に体重による力が集中するので、グリップ力を高くすることができる。ただし、突出部は、内外方向断面が下方に突出した山形状ではない構成とすることもできる。
【０００９】
この場合、前記山形状の突出部の外側斜面の付け根部は、前記底面のベース面より上方に位置している構成、好ましくは０〜３ｍｍ上方に位置している構成とすることができる。これにより、突出部の外側斜面の付け根部が底面のベース面より凹み、突出部の高さが高くなるので、突出部が地面をより強く押圧し、グリップ力がより高くなる。
【００１０】
本発明では、前記突出部は、前記底面の長手方向に沿って延在する複数の長部と、隣り合う２つの前記長部を結ぶ前記長部より短い短部とにより、ジグザグ線状に形成されている構成とすることができる。これにより、突出部の強度を補強することができるし、突出部の地面との接触部分が大きくなるとともに、前後および内外方向への滑り止め機能を発揮することができるので、グリップ力をより高くすることができる。
【００１１】
本発明では、前記突出部の先端部は、前記突出部の長手方向に沿って波状に形成されている構成とすることができる。これにより、波状に形成された突出部の谷の部分の高さを低くすることができるので、谷の部分で屈曲し易くできる。その結果、歩行時の前後方向への歩行動作が容易になり、より歩き易くなる。
【発明の効果】
【００１２】
本発明の靴底は、アウトソールの爪先部および踏付け部の底面の内外方向中央領域に、前述した構成の突出部を設けたので、例えばゴルフ等の運動時や歩行時に上記突出部が地面を押圧し、優れたグリップ力が得られる。また、金属製スパイクやソフトスパイク等のスパイク類を設けないため、足裏への突き上げ感がないとともに、スパイク類を省略することにより靴底の軽量化を図ることができる上、歩行時に爪先部および踏付け部の底面の内側領域および外側領域が地面と接するため、歩き易い。さらに、本発明の靴底は、爪先部および踏付け部の底面の中央に設けた突出部のみによって優れたグリップ力が得られるので、アウトソール底面のその他の部分におけるデザインの自由度が高くなる。
【図面の簡単な説明】
【００１３】
【図１】本発明に係る靴底の第１実施形態の下面図
【図２】図１の右側面図
【図３】図１の左側面図
【図４】図１のＡ−Ａ線に沿った断面図
【図５】図１のａ−ａ線に沿った断面図
【図６】図１のＢ−Ｂ線に沿った断面図
【図７】図１のＣ−Ｃ線に沿った断面図
【図８】図１のＤ−Ｄ線に沿った断面図
【図９】図１のｂ−ｂ線に沿った断面図
【図１０】図１のｃ−ｃ線に沿った断面図
【図１１】図１のｄ−ｄ線に沿った断面図
【図１２】図１のｅ−ｅ線に沿った断面図
【図１３】図１のＥ−Ｅ線に沿った断面図
【図１４】図１のｆ−ｆ線に沿った断面図
【図１５】図１のｇ−ｇ線に沿った断面図
【図１６】図１のｈ−ｈ線に沿った断面図
【図１７】図１のＦ−Ｆ線に沿った断面図
【図１８】図１のＧ−Ｇ線に沿った断面図
【図１９】本発明に係る靴底の第２実施形態の下面図
【発明を実施するための形態】
【００１４】
以下、本発明を図面に示す実施形態により説明する。
【００１５】
（第１実施形態）
図１から図４は本発明に係る靴底の第１実施形態の要部を示すものであり、図１は下面図、図２は図１の右側面図、図３は図１の左側面図、図４は図１のＡ−Ａ線に沿った断面図である。なお、図１から図４は左足用の靴底のみを示しているが、右足用と左足用とは左右対称である。さらに、図１の右方向が足の外側であり、左方向が足の内側であり、図１の上方が足の前側であり、図１の下方が足の後側である。
【００１６】
本実施形態の靴底１０（左足用）は、例えばゴルフ靴に用いるものであり、図１から図４に示すように、地面に接する底面１２を具備するアウトソール１４と、アウトソール１４に積層されたミッドソール１６とを有している。そして、アウトソール１４の表面である地面と接する底面１２は、前側から後側に向かって順に、爪先部２１、踏付け部２２、土踏まず部２３、踵部２４となっている。また、アウトソール１４は、爪先部２１および踏付け部２２を有する前部１４Ｆと、土踏まず部２３を有する中部１４Ｍと、踵部２４を有する後部１４Ｂとに前後方向に沿って３つに区分されている。そして、アウトソール１４の後部１４Ｂは、クッション部材２６を介してミッドソール１６に積層されている（図２、図３および図４）。なお、ミッドソール１６の上面には、従来公知の図示しないアッパー部が装着されることで靴、例えばゴルフ靴が形成されるようになっている。なお、アウトソール１４の区分数としては、３つに限定されるものではなく、設計コンセプトなどの必要に応じて、２あるいは４以上とすることもできる。また、アウトソール１４を区分しない構成とすることもできる。
【００１７】
前記アウトソール１４の材質としては、例えばＴＰＵ（熱可塑性ポリウレタン）、ゴム、ＥＶＡ（エチレン−酢酸ビニル共重合体）、ウレタン樹脂などの弾性体を挙げることができる。本実施形態においては、前部１４Ｆおよび後部１４Ｂの材質がゴムとされ、中部１４Ｍの材質がＴＰＵとされている。
【００１８】
前記ミッドソール１６の材質としては、ＥＶＡ、ポリオレフィン発泡体、ポリウレタン発泡体、ＴＰＵ、ゴムなどの弾性体を挙げることができる。本実施形態においては、ＥＶＡが用いられている。
【００１９】
前記クッション部材２６の材質としては、ＥＶＡ、ポリオレフィン発泡体、ポリウレタン発泡体、ＴＰＵ、ゴムなどの弾性体を挙げることができる。本実施形態においては、ＥＶＡが用いられている。
【００２０】
なお、アウトソール１４のすべてを同一の材質で形成してもよく、アウトソール１４とミッドソール１６を同一の材質で形成してもよい。
【００２１】
図１に示すように、アウトソール１４の前部１４Ｆの底面１２Ｆ（以下、前底面１２Ｆと記す。）の内外方向（幅方向）中央領域には、滑りを防止するグリップ力を発揮する突出部３０が前後方向に沿って設けられている。本実施形態の突出部３０は、前部１４Ｆ前端側（爪先部２１前端側）と前部１４Ｆ後端側（踏付け部２２後端側）を結ぶように形成されており、前部１４Ｆを突出部３０より内方に位置する内側領域および外方に位置する外側領域に区分することができるようになっている。また、突出部３０は、前底面１２Ｆと一体に成形されている。なお、前底面１２Ｆの内側領域および外側領域は、同一の水平面上に存在するように形成されている（図６から図８）。
【００２２】
前記突出部３０は、全体として前底面１２Ｆの長手方向に沿って延在する複数、本実施形態においては３つの長部３１ａ、３１ｂ、３１ｃと、隣位の２つの長部３１（符号３１は、３つの長部３１ａ、３１ｂ、３１ｃを総称する。）の相互間を結ぶ長部３１より短い２つの短部３２ａ、３２ｂとにより、前部１４Ｆ後端中央部（踏付け部２２後端中央部）から前部１４Ｆ前端中央部（爪先部２１前端中央部）の外側寄りに向かうジグザグ線状に形成されている。なお、長部３１および短部３２（符号３２は、２つの短部３２ａ、３２ｂを総称する。）の数は、設計コンセプトなどの必要に応じて設定することができる。
【００２３】
前記突出部３０としては、前部１４Ｆ後端中央部から前部１４Ｆ前端中央部（前部１４Ｆ前端中央部外側寄りであってもよい）に向かって直線状や波状に形成されていてもよい。
【００２４】
前記突出部３０の前底面１２Ｆから突出した先端部３３、すなわち接地面は、突出部３０の長手方向に沿って波状に形成されている。本実施形態においては、図５に示すように、２つの山部３４とその間に位置する１つの谷部３５とを有する波状に形成されている。そして、長手方向両端は前底面１２Ｆ、詳しくは前底面１２Ｆのベース面１２ＦＳに接続され、谷部３５は、前底面１２Ｆのベース面１２ＦＳより、例えば３ｍｍ程度突出するように形成されている。また、２つの山部３４の最も突出した部分は、両者共に前底面１２Ｆのベース面１２ＦＳより同一高さ、例えば５ｍｍ程度突出するように形成されている。
【００２５】
また、本実施形態の突出部３０は、図６から図８に示すように、地面に向かって凸の断面逆山形状に形成されており、その先端部３３は、前底面１２Ｆのベース面１２ＦＳより、山部３４の最も高い部分で５ｍｍ程度突出するように形成されている。すなわち、突出部３０は、内外方向断面が下方に突出した山形状に形成されている。なお、突出部３０の外側斜面は、前底面１２Ｆのベース面１２ＦＳに対して直角（鉛直）であってもよい。また、外側斜面の付け根部は、前底面１２Ｆのベース面１２ＦＳより、例えば最大で２ｍｍ程度低い位置に凹設されている。すなわち、山形状の突出部３０の外側斜面の付け根部は、前底面１２Ｆのベース面１２ＦＳより上方に位置している。なお、波の形状としては、山の数が１つ、あるいは３以上とすることができる。また、突出部３０の接地面は、前底面１２Ｆの前後方向に沿って波状に形成されていてもよい。さらに、突出部３０の外側斜面の前底面１２Ｆとのなす角度を、突出部３０の内側斜面の前底面１２Ｆとのなす角度より大きく形成する構成とすることにより、外側方向への滑り止めの力をより大きくすることができる。
【００２６】
前記前部１４Ｆの外側領域には、前部１４Ｆの外側領域をさらに内外方向に複数に区分する２つの副突出部４０が並設されている。これらの副突出部４０は、図６から図１０に示すように、突出部３０とほぼ同様に形成されている。なお、副突出部４０の数としては、１つであってもよいし、３以上であってもよく、設計コンセプトなどの必要に応じて設定することができる。勿論、補助突出部４０を設けない構成とすることもできる。
【００２７】
前記補助突出部４０の外側領域、および、突出部３０の内側領域のそれぞれには、図１から図４、図６から図８、図１１、および図１２に示すように、断面略逆山形状に形成された平面形状が多種多様の複数の前滑り防止凸部４２（一部にのみ同一の符号を付してある。）が形成されている。なお、補助突出部４０および前滑り防止凸部４２は、前底面１２Ｆと一体に成形されているとともに、それぞれの先端部３３の最も高い部分は、突出部３０と同様に、前底面１２Ｆのベース面１２ＦＳより、例えば最大で５ｍｍ程度突出するように形成されている。なお、補助突出部４０および前滑り防止凸部４２は、設計コンセプトなどの必要に応じて設ければよい。すなわち、前底面１２Ｆには基本的に突出部３０が設けられていればよい。
【００２８】
前記アウトソール１４の中部１４Ｍの底面１２Ｍ（以下、中底面１２Ｍと記す。）は、図１から図４、および図１３に示すように、中底面１２Ｍ、詳しくは前底面１２Ｆのベース面１２ＦＳに繋がる中底面１２のベース面１２ＭＳに対して前後左右が凹んだ平面略Ｘ状をなすように形成することにより、美観を向上させている。
【００２９】
前記アウトソール１４の後部１４Ｂ（踵部２４）の底面１２Ｂ（以下、後底面１２Ｂと記す。）には、図１から図４、図１４から図１８に示すように、後部１４Ｂ（踵部２４）前端中央部より内側寄りと、後部１４Ｂ後端中央部寄り外側寄りを結ぶ内側に凸の平面円弧状に形成された滑り防止用の主後凸部４４が設けられており、後部１４Ｂを内側領域および外側領域に区分することができるようになっている。また、主後凸部４４の外側には、複数、本実施形態において２つの副後凸部４６が並設されている。
【００３０】
これらの主後凸部４４および副後凸部４６のそれぞれは、図１４から図１６に示すように、前端側の所定の領域が後底面１２、詳しくは後底面１２のベース面１２ＢＳより、例えば５ｍｍ程度突出するように形成されているとともに、後端側が後底面１２Ｂ（図２、図３）に接続するように傾斜している。また、主後凸部４４および副後凸部４６のそれぞれは、図１７および図１８に示すように、地面に向かって凸の断面逆山形状に形成されており、その先端部３３は、後底面１２のベース面１２ＢＳより、例えば最大で５ｍｍ程度突出するように形成されている。また、主後凸部４４および副後凸部４６のそれぞれは、後底面１２と一体に成形されている。
【００３１】
前記副後凸部４６より外側領域、および、主後凸部４４の内側領域のそれぞれには、図１から図４、図１７および図１８に示すように、断面略逆山形状に形成された平面形状が多種多様の複数の後滑り防止凸部４８（一部にのみ同一の符号を付してある。）が形成されている。なお、後滑り防止凸部４８は、後底面１２と一体に成形されているとともに、それぞれの先端部３３の最も高い部分は、後底面１２のベース面１２ＢＳより、例えば最大で５ｍｍ程度突出するように形成されている。なお、後滑り防止凸部４８は、設計コンセプトなどの必要に応じて設ければよい。
【００３２】
つぎに、前述した構成からなる本実施形態の作用について説明する。本実施形態の靴底１０（靴）によれば、アウトソール１４の前底面１２Ｆの内外方向中央領域に、前底面１２Ｆのベース面１２ＦＳから下方に突出し、前底面１２Ｆを内側領域と外側領域とに区分する突出部３０が前底面１２Ｆと一体に成形されているから、例えばゴルフ等の運動時や歩行時に突出部３０が地面を押圧し、優れたグリップ力が得られるし、金属製スパイクやソフトスパイク等のスパイク類を設けないため、足裏への突き上げ感がないとともに、スパイク類を省略することにより靴底の軽量化を図ることができる上、歩行時に爪先部２１および踏付け部２２の底面１２Ｆの内側領域および外側領域が地面と接するため、歩き易いし、爪先部２１および踏付け部２２の底面１２Ｆの中央に設けた突出部３０のみによって優れたグリップ力が得られるので、アウトソール１４底面１２のその他の部分におけるデザインの自由度が高くなる。
【００３３】
また、本実施形態の靴底１０によれば、突出部３０が前底面１２Ｆと一体に成形されているから、従来の着脱自在なスパイクを設ける構成に比較して、部品点数が少なく、スパイクの着脱構造および取り付け工程が不必要なため、低コスト化を図ることもできる。
【００３４】
さらに、本実施形態の靴底１０によれば、突出部３０が、内外方向断面が下方に突出した山形状に形成されているから、歩行時に突出部３０の先端部３３に体重による力が集中するので、グリップ力を高くすることができる。
【００３５】
さらにまた、本実施形態の靴底１０によれば、山形状の突出部３０の外側斜面の付け根部が、前底面１２Ｆのベース面１２ＦＳより上方に位置しているから、突出部３０の外側斜面の付け根部が前底面１２Ｆのベース面１２ＦＳより凹み、突出部３０の高さが高くなるので、突出部３０が地面をより強く押圧し、グリップ力がより高くなる。
【００３６】
また、本実施形態の靴底１０によれば、突出部３０が、前底面１２Ｆの長手方向に沿って延在する複数の長部３１と、隣位の２つの長部３１の相互間を結ぶ長部３１より短い短部３２とにより、踏付け部２２後端中央部から爪先部２１前端中央部の外側寄りに向かうジグザグ線状に形成されているから、突出部３０の強度を補強することができるし、突出部３０の地面との接触部分が大きくなるとともに、前後および内外方向への滑り止め機能を発揮することができるので、グリップ力をより高くできる。なお、突出部３０を、踏付け部２２後端中央部から爪先部２１前端中央部に向かって波状に形成する構成とした場合であっても、突出部３０の強度を補強することができるし、突出部３０の地面との接触部分が大きくなるとともに、前後および内外方向への滑り止め機能を発揮することができるので、グリップ力をより高くできる。
【００３７】
また、本実施形態の靴底１０によれば、突出部３０の先端部３３が、突出部３０の長手方向に沿って波状に形成されているから、波状に形成された突出部３０の谷部３５の高さを低くすることができるので、谷部３５で屈曲し易くできる。その結果、歩行時の前後方向への歩行動作が容易になり、より歩き易くなる。
【００３８】
また、本実施形態の靴底１０によれば、各々の突出部３０における先端部３３の高さは場所によって異なるが最も高い先端部３３が全体的に配置されているため、より歩き易くなる。
【００３９】
また、本実施形態の靴底１０によれば、突出部３０の外側に補助突出部４０が並設されているから、グリップ力をさらにより高くできる。
【００４０】
なお、本実施形態の靴底１０をゴルフ靴に用いた場合には、前底面１２Ｆに、前部１４Ｆを内側領域および外側領域に区分する爪先部２１前端側と踏付け部２２後端側を結ぶ突出部３０が設けられているから、この突出部３０は、スウェーを防いで足の外側に壁を作るスイングを行い易くできる。
【００４１】
（第２実施形態）
図１９は本発明に係る靴底の第２実施形態の要部を示す下面図である。本実施形態の靴底５０は、前述した第１実施形態の靴底１０における前底面１２Ｆに突出部３０および前滑り防止凸部４２を設け、補助突出部４０を設けない構成としたものを例示している。なお、前述した第１実施形態の靴底１０と同一ないし相当する構成については図面中に同一の符号を付してある。
【００４２】
図１９に示すように、本実施形態の靴底５０の前底面１２Ｆには、前部１４Ｆを内側領域および外側領域に区分する突出部３０が設けられている。この突出部３０は、前述した第１実施形態の突出部３０と同様に形成されており、その詳しい説明については省略する。そして、突出部３０の内側領域および外側領域のそれぞれに、断面略逆山形状または逆台形状に形成された平面形状が多種多様の複数の前滑り防止凸部４２（一部にのみ同一の符号を付してある。）が形成されている。
【００４３】
また、本実施形態の靴底５０の後底面１２には、後部１４Ｂを内側領域および外側領域に区分する主後凸部４４が設けられている。この主後凸部４４は、前述した第１実施形態の主後凸部４４と同様に形成されており、その詳しい説明については省略する。そして、主後凸部４４の内側領域および外側領域のそれぞれに、断面略逆山形状に形成された平面形状が多種多様の複数の後滑り防止凸部４８（一部にのみ同一の符号を付してある。）が形成されている。
【００４４】
その他の構成については、前述した第１実施形態の靴底１０と同様に形成されており、その詳しい説明については省略する。
【００４５】
このような構成からなる本実施形態の靴底５０によれば、前述した第１実施形態の靴底１０と同様の効果を奏することができる。
【００４６】
なお、本発明は、前述した各実施形態に限定されるものではなく、必要に応じて種々の変更が可能である。
【符号の説明】
【００４７】
１０、５０  靴底
１２  底面
１２Ｂ  後底面
１２Ｆ  前底面
１２ＦＳ  ベース面
１２Ｍ  中底面
１４  アウトソール
１４Ｂ  後部
１４Ｆ  前部
１４Ｍ  中部
１６  ミッドソール
２１  爪先部
２２  踏付け部
２３  土踏まず部
２４  踵部
２６  クッション部材
３０  突出部
３１、３１ａ、３１ｂ、３１ｃ  長部
３２、３２ａ、３２ｂ  短部
３２ａ  長短部
３３  先端部
３４  山部
３５  谷部
【図１】
2013128657.tif 000003
【図２】
2013128657.tif 000004
【図３】
2013128657.tif 000005
【図４】
2013128657.tif 000006
【図５】
2013128657.tif 000007
【図６】
2013128657.tif 000008
【図７】
2013128657.tif 000009
【図８】
2013128657.tif 000010
【図９】
2013128657.tif 000011
【図１０】
2013128657.tif 000012
【図１１】
2013128657.tif 000013
【図１２】
2013128657.tif 000014
【図１３】
2013128657.tif 000015
【図１４】
2013128657.tif 000016
【図１５】
2013128657.tif 000017
【図１６】
2013128657.tif 000018
【図１７】
2013128657.tif 000019
【図１８】
2013128657.tif 000020
【図１９】
2013128657.tif 000021